(57)【要約】【課題】スリットの先端に閉じ代を確保することで、ワイヤーハーネスの外れやすさの懸念を払拭する。【解決手段】グロメット本体１０の上端面１１と保持孔１５との間にスリット３０が形成されている。スリット３０は、上端面１１から垂直下方に切り込まれた垂直スリット部３１と、一端が垂直スリット部の下端に連通し他端が保持孔に連通する、一端から他端に向けて下り傾斜した傾斜スリット部３２とからなり、垂直スリット部３１で、スリット３０の先端の重なり代（閉じ代）Ｈ２を確保している。【選択図】図１
2015142475.tif 000002
【特許請求の範囲】
【請求項１】
厚肉板状のグロメット本体を備え、
前記グロメット本体の外縁に位置する外周面は、パネルに形成された切欠部の内周縁に係合することで前記グロメット本体を前記パネルに装着するための係合溝が形成された嵌合周面と、前記グロメット本体を前記パネルに装着した際の前記切欠部の開口側に位置する上端面とを有し、
前記グロメット本体には、ワイヤーハーネスによって挿通されるための保持孔が、前記グロメット本体の厚さ方向に貫通して形成され、
前記グロメット本体の上端面と前記保持孔との間には、一端が前記上端面にて開口し他端が前記保持孔に連通するスリットが形成され、
前記グロメット本体を弾性変形させながら前記スリットを開くことにより、前記保持孔にワイヤーハーネスを挿通させるワイヤーハーネス用のグロメットであって、
前記スリットが、前記上端面から垂直下方に切り込まれた垂直スリット部と、一端が前記垂直スリット部の下端に連通し他端が前記保持孔に連通する、前記一端から前記他端に向けて下り傾斜した傾斜スリット部とを有する
ことを特徴とするワイヤーハーネス用のグロメット。
【請求項２】
前記傾斜スリット部の他端が、前記上端面の長手方向上に位置する前記保持孔の頂点に連通している
ことを特徴とする請求項１に記載のワイヤーハーネス用のグロメット。
【請求項３】
前記グロメット本体が、前記保持孔の周縁から前記グロメット本体の厚さ方向に突設されたワイヤーハーネス固定用の舌片をさらに有し、
前記傾斜スリット部は、該傾斜スリット部の他端側に、前記舌片に形成され該舌片を二分割する舌片側スリットを有する
ことを特徴とする請求項１または２に記載のワイヤーハーネス用のグロメット。
【請求項４】
前記グロメット本体の嵌合周面のうちの前記上端面に連続する２面が、互いに対向する平行面として形成されている
ことを特徴とする請求項１〜３のいずれか１項に記載のワイヤーハーネス用のグロメット。
【発明の詳細な説明】
【技術分野】
【０００１】
本発明は、例えば、自動車のエンジンルームと車室との間に設けられたパネルを貫通するようにワイヤーハーネスを配索する場合に、ワイヤーハーネスのパネル貫通部の保護のために、あるいは、車室の遮音性や気密性などを確保するために、パネルの切欠部に嵌め合わされて用いられるワイヤーハーネス用のグロメットに関するものである。
【背景技術】
【０００２】
自動車のエンジンルームと車室との間に設けられたパネル（隔壁）を貫通するようにワイヤーハーネスを配索する場合、パネルに切欠部を設け、その切欠部に弾性材料製のグロメットを嵌合させ、そのグロメットの保持孔にワイヤーハーネスを挿通させたものがある。その場合、厚肉板状のグロメット本体にスリットを形成し、グロメット本体を弾性変形させながらそのスリットを開くことで、グロメット本体に形成した保持孔にワイヤーハーネスが通過する経路を確保するようにしたものがある。
【０００３】
図４は従来のグロメットの一例の構成を示す斜視図、図５（ａ）は図４のグロメットの構成を示す正面図、（ｂ）は（ａ）のＸ矢視図である。
図４において、パネル１００の一端縁のある方向を上方とし、その反対方向を下方とするとき、パネル１００の一端縁である上端縁１００ａには、上向きに開口し且つその開口１０１ａから下方に向かって凹状に形成された切欠部１０１が設けられている。グロメット５０Ａは、そのパネル１００の切欠部１０１に嵌合される弾性材料製の厚肉板状のグロメット本体１０を有している。
【０００４】
グロメット本体１０の外縁に位置する外周面は、切欠部１０１の内周縁１０２に係合することでグロメット本体１０をパネル１００に装着する係合溝１３が形成された嵌合周面１２と、グロメット本体１０をパネル１００に装着した際の切欠部１０１の開口１０１ａ側に位置する上端面１１と、からなる。
【０００５】
図４及び図５（ａ）、（ｂ）に示すように、グロメット本体１０の内側の領域には、パネル１００の切欠部１０１を通して該パネル１００を挟んだ一方側から他方側へ配索されるワイヤーハーネス（図示せず）を挿通させるための円形の保持孔１５が、グロメット本体１０の厚さ方向に貫通して形成されている。保持孔１５は、ワイヤーハーネスの外周に対して密着可能な内径寸法に形成されている。また、保持孔１５の周縁には、グロメット本体１０の厚さ方向にワイヤーハーネス固定用の舌片２０が突設されている。
【０００６】
また、グロメット本体１０の上端面１１と保持孔１５との間には、一端が上端面１１の長さ方向の中央に開口し、その開口から垂直下方に切り込まれて、他端が保持孔１５の上側の頂点に連通する直線状のスリット６０が形成されている。
【０００７】
図６は、図４に示すものとスリットの位置が異なる他の従来のグロメットの構成を示す正面図である。
図６に示すように、このグロメット５０Ｂでは、グロメット本体１０の嵌合周面１２のうち保持孔１５の側方の嵌合周面から保持孔１５の側面側の頂点に向かって直線状にスリット６１が形成されている。この種の従来のグロメットが特許文献１に記載されている。
【０００８】
また、スリットを斜めに形成したグロメットが特許文献２に記載されている。
図７は、他の従来のグロメットとして特許文献１に開示されたグロメットの構成を示す正面図である。このグロメット７０は、厚肉板状のグロメット本体８０に２つの保持孔８５を横に並べて形成し、各保持孔８５に連通するように斜めのスリット９０を形成したものである。各斜めのスリット９０は、パネルの切欠部の内周縁に対する嵌合周面８２とパネルの切欠部の開口側に位置する上端面８１との境界部に一端９０ａを開口させ、他端９０ｂを保持孔８５の側面側の頂点に連通させている。
【０００９】
これらのグロメット５０Ａ、５０Ｂ、７０を用いる場合は、グロメット本体１０を弾性変形させながらスリット６０、６１、９０を開くことによりワイヤハーネスが通過する経路を確保し、保持孔１５、８５にワイヤーハーネスを挿通させ、その状態で、グロメット本体１０、８０の嵌合周面１２、８２をパネルの切欠部の内周縁に嵌合させて、グロメット５０Ａ、５０Ｂ、７０をパネルに装着する。
【先行技術文献】
【特許文献】
【００１０】
【特許文献１】特開２０００−３４００５２号公報
【特許文献２】特開２００９−１０６０９１号公報
【発明の概要】
【発明が解決しようとする課題】
【００１１】
ところで、図４から図５（ｂ）のグロメット５０Ａのように、スリット６０が保持孔１５の真上に垂直に形成されている場合、例えば、保持孔１５がグロメット本体１０の上端面１１に近い位置にあると、スリット６０の長さが短くなるため、スリット６０を小さい力で開くことが難しくなり、ワイヤーハーネスの挿入作業が困難になるという課題がある。また、ワイヤーハーネスが上向きの外力を受けた場合、スリット６０からワイヤーハーネスが抜け出しやすいという課題がある。
【００１２】
また、図６のグロメット５０Ｂのように、スリット６１が保持孔１５の横方向に直線状に形成されて嵌合周面１２に開口している場合、スリット６１の両側に横ズレが発生すると、パネルに嵌合しづらくなるという課題がある。
【００１３】
また、図７のグロメット７０のように、保持孔８５から斜めにスリット９０が形成されている場合は、スリット９０の長さを長く設定できる分、スリット９０を小さい力で開けるようになるため、ワイヤーハーネスの挿入作業が容易にできるようになる。また、ワイヤーハーネスが上向きの外力を受けた場合にも、保持孔８５の真上にスリット９０があるわけではないので、ワイヤーハーネスが上方に抜け出しにくくなる。更に、嵌合周面８２にスリット９０が開口しているわけではないので、パネルに嵌合しづらくなることもない、等のメリットが得られる。
【００１４】
しかしながら、図７のグロメット７０では、斜めのスリット９０の一端をそのまま直接、グロメット本体８０の嵌合周面８２と上端面８１の境界部に開口させているので、スリット９０の先端（嵌合周面８２と上端面８１の境界部に開口している部分）の閉じ代がなく、スリット９０の先端が簡単に開く可能性があり、外力が作用する方向によっては、ワイヤーハーネスが外れやすくなるという懸念があった。
【００１５】
本発明は、上述した事情に鑑みてなされたものであり、その目的は、スリットを通してのワイヤーハーネスの挿入しやすさと、パネルへのグロメット本体の装着しやすさを保ちながら、スリットの先端に閉じ代を確保することで、ワイヤーハーネスの外れやすさの懸念を払拭することのできるワイヤーハーネス用のグロメットを提供することにある。
【課題を解決するための手段】
【００１６】
前述した目的を達成するために、本発明に係るワイヤーハーネス用のグロメットは、下記（１）〜（４）を特徴としている。
（１）  厚肉板状のグロメット本体を備え、
前記グロメット本体の外縁に位置する外周面は、パネルに形成された切欠部の内周縁に係合することで前記グロメット本体を前記パネルに装着するための係合溝が形成された嵌合周面と、前記グロメット本体を前記パネルに装着した際の前記切欠部の開口側に位置する上端面とを有し、
前記グロメット本体には、ワイヤーハーネスによって挿通されるための保持孔が、前記グロメット本体の厚さ方向に貫通して形成され、
前記グロメット本体の上端面と前記保持孔との間には、一端が前記上端面にて開口し他端が前記保持孔に連通するスリットが形成され、
前記グロメット本体を弾性変形させながら前記スリットを開くことにより、前記保持孔にワイヤーハーネスを挿通させるワイヤーハーネス用のグロメットであって、
前記スリットが、前記上端面から垂直下方に切り込まれた垂直スリット部と、一端が前記垂直スリット部の下端に連通し他端が前記保持孔に連通する、前記一端から前記他端に向けて下り傾斜した傾斜スリット部とを有する
ことを特徴とするワイヤーハーネス用のグロメット。
（２）  前記傾斜スリット部の他端が、前記上端面の長手方向上に位置する前記保持孔の頂点に連通している
ことを特徴とする上記（１）に記載のワイヤーハーネス用のグロメット。
（３）  前記グロメット本体が、前記保持孔の周縁から前記グロメット本体の厚さ方向に突設されたワイヤーハーネス固定用の舌片をさらに有し、
前記傾斜スリット部は、該傾斜スリット部の他端側に、前記舌片に形成され該舌片を二分割する舌片側スリットを有する
ことを特徴とする上記（１）または（２）に記載のワイヤーハーネス用のグロメット。
（４）  前記グロメット本体の嵌合周面のうちの前記上端面に連続する２面が、互いに対向する平行面として形成されている
ことを特徴とする上記（１）〜（３）のいずれか１項に記載のワイヤーハーネス用のグロメット。
【００１７】
上記（１）の構成のワイヤーハーネス用のグロメットによれば、グロメット本体の上端面と保持孔との間を結ぶスリットに傾斜スリット部を設けているので、配索経路の都合などによりワイヤーハーネスを挿通させる保持孔がグロメット本体の上端面に近い位置にあっても、スリットの長さを長くすることができる。従って、グロメット本体を弾性変形させながらスリットの先端を開くときに、力点から支点までの長さを大きくとることができるようになり、小さい力でスリットを開くことができる。特に傾斜スリット部と上端面との間に位置する保持孔の上側の部分を片手で持ち上げてスリットを開くことができるので、ワイヤーハーネスの保持孔への挿通作業が容易にできるようになる。
また、スリットを開いてワイヤーハーネスを保持孔に挿入するときに、傾斜スリット部を挟んで対向する斜面に沿ってワイヤーハーネスを保持孔の適正位置に挿入することができるので、スムーズなワイヤーハーネスの挿入が可能となる。
しかも、傾斜スリット部の先端側に垂直スリット部を連続して設けていることにより、スリットの先端部のスリットの両側部分に垂直方向に沿った重なり代（スリットの先端の閉じ代に相当）を確保することができる。このため、スリットを開く操作をしてからスリットの先端が実際に開き始めるまでの間に、その重なり代の分だけ実際にはスリットが開かない動作区間（余裕）を確保することができる。従って、万一、保持孔に挿通させたワイヤーハーネスに外力が加わったりして、グロメット本体にスリットを広げる方向の力が作用した場合にも、実際にスリットが開くまでに動作の余裕ができる分だけ、ワイヤーハーネスの抜け出しの可能性を低くすることができる。なお、スリットが保持孔の直上にないことによるワイヤーハーネスの外れにくさも当然に得られる。
また、実際にワイヤーハーネスがスリットから抜け出るには、傾斜スリット部を通った上で屈曲した経路を辿りながら垂直スリット部に進む必要があるので、屈曲した経路を辿る分だけ、ワイヤーハーネスの抜け出し抵抗が大となり、抜けづらさを高めることができる。
また、スリットは、グロメット本体の嵌合周面ではなく、パネルへの嵌合に関係のない上端面にて開口しているので、スリットの両側部分にたとえ位置ずれが生じたとしても、パネルにグロメット本体を嵌合するのに悪影響を及ぼすおそれがない。
上記（２）の構成のワイヤーハーネス用のグロメットによれば、傾斜スリット部の他端が上端面の長手方向上に位置する保持孔の頂点に連通しているので、保持孔の上半周を囲む部分の肉薄部分（保持孔の上側の頂点と上端面との間の薄肉で脆弱な部分）を支点にして、保持孔の上半周を囲む部分を持ち上げてスリットを容易に開くことができる。また、ワイヤーハーネスを保持孔に挿通させた状態で、保持孔の上半周を囲む部分がワイヤーハーネスに被さる形になるので、ワイヤーハーネスがスリットからより一層抜け出しにくくなる。
上記（３）の構成のワイヤーハーネス用のグロメットによれば、ワイヤーハーネスを保持孔に挿通させた状態で、舌片とワイヤーハーネスをテープ巻きあるいはバンド巻きすることにより、ワイヤーハーネスにグロメットを容易に固定することができる。その際、舌片が、舌片側スリットによって二分割されているので、分割舌片同士を互いに位置合わせすることにより、ワイヤーハーネスの挿入のために開いたスリットの合わせが容易にできる。
上記（４）の構成のワイヤーハーネス用のグロメットによれば、パネルの切欠部の内周縁に対するグロメット本体の嵌合周面の係合溝のスライド距離を長くすることができる。つまり、パネルの切欠部にグロメット本体を上方から嵌めるときに、最終的な嵌合状態に至るまでに、係合溝が切欠部の内周縁に係合した状態でスライドする距離を長く設定することができる。従って、安定した姿勢でグロメット本体をパネルに装着することができると共に、パネルからグロメット本体が外れにくくなる。
【発明の効果】
【００１８】
本発明によれば、スリットを通してのワイヤーハーネスの挿入しやすさと、パネルへの装着しやすさを保ちながら、スリットの先端に閉じ代を確保することができるので、ワイヤーハーネスの外れやすさの懸念を払拭することができる。
【００１９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２０】
【図１】図１は、本発明の実施形態のグロメットの構成を示す斜視図である。
【図２】図２は、図２（ａ）は図１のグロメットの構成を示す正面図、図２（ｂ）は図２（ａ）のＸ矢視図である。
【図３】図３は、図３（ａ）は本発明の他の実施形態のグロメットの構成を示す正面図、図３（ｂ）は図３（ａ）のＸ矢視図である。
【図４】図４は、従来のグロメットの構成を示す斜視図である。
【図５】図５は、図５（ａ）は図４のグロメットの構成を示す正面図、図５（ｂ）は図５（ａ）のＸ矢視図である。
【図６】図６は、図４に示すものとスリットの位置が異なる他の従来のグロメットの構成を示す正面図である。
【図７】図７は、更に他の従来のグロメットの構成を示す正面図である。
【発明を実施するための形態】
【００２１】
以下、本発明の実施形態を図面を用いて説明する。
図１は実施形態のグロメットの構成を示す斜視図、図２（ａ）は図１のグロメットの構成を示す正面図、図２（ｂ）は図２（ａ）のＸ矢視図である。
【００２２】
図１において、パネル１００の一端縁のある方向を上方とし、その反対方向を下方とするとき、パネル１００の一端縁である上端縁１００ａには、上向きに開口し且つその開口１０１ａから下方に向かって凹状に形成された切欠部１０１が設けられている。この切欠部１０１の内周縁１０２は、下側の部分が、湾曲状周縁１０２ｃとして形成され、その湾曲状周縁１０２ｃの両側より上側の部分が、垂直上方に延びる直線状周縁１０２ａ、１０２ｂとして形成されている。対向する直線状周縁１０２ａ、１０２ｂは、互いに平行な周縁として形成されている。
【００２３】
本実施形態のグロメット１Ａは、このパネル１００の切欠部１０１に嵌合する形状のもので、ゴムや柔軟性樹脂などの弾性材料製の厚肉板状のグロメット本体１０を有している。図１および図２（ａ）、図２（ｂ）に示すように、グロメット本体１０の外縁に位置する外周面は、切欠部１０１の内周縁１０２に係合することでグロメット本体１０をパネル１００に装着するための係合溝１３が形成された嵌合周面１２と、グロメット本体１０をパネル１００に装着した際の切欠部１０１の開口１０１ａ側に位置する上端面１１と、を有する。
【００２４】
グロメット本体１０の嵌合周面１２のうちの上端面１１に連続する２面は、互いに対向する平行面１２ａ、１２ｂとして形成されている。平行面１２ａ、１２ｂは、パネル１００の切欠部１０１の内周縁１０２のうちの直線状周縁１０２ａ、１０２ｂに対応する位置にある。また、両側の平行面１２ａ、１２ｂの下側の部分は、パネル１００の切欠部１０１の内周縁１０２のうちの湾曲状周縁１０２ｃに対応させた湾曲周面１２ｃとして形成されている。
【００２５】
また、グロメット本体１０の内側の領域には、パネル１００の切欠部１０１を通して該パネル１００を挟んだ一方側から他方側へ配索されるワイヤーハーネス（図示せず）を挿通させるための保持孔１５が、グロメット本体１０の厚さ方向に貫通して形成されている。
【００２６】
そして、グロメット本体１０の上端面１１と保持孔１５との間に、一端が上端面１１にて開口し他端が保持孔１５に連通するスリット３０が形成されている。この場合のスリット３０は、垂直スリット部３１と傾斜スリット部３２とで構成されている。
【００２７】
垂直スリット部３１は、嵌合周面１２と上端面１１との交点１７よりも上端面１１の長さ方向の中央部寄りの位置、即ち、嵌合周面１２と上端面１１との交点１７から、寸法Ｈ１だけ内側に入った位置から、垂直下方に寸法Ｈ２だけ切り込まれている。また、傾斜スリット部３２は、一端３２ａが垂直スリット部３１の下端に連通し、他端３２ｂが保持孔１５に連通するように、一端３２ａから他端３２ｂに向けて下り傾斜している。ここで、傾斜スリット部３２の他端３２ｂは、上端面１１の長手方向上に位置する保持孔１５の頂点に連通しており、スリット３０により分割された一方側が保持孔１５の上半周を囲む部分とされている。
【００２８】
また、このグロメット１Ａは、グロメット本体１０に、保持孔１５の周縁からグロメット本体１０の厚さ方向に突設されたワイヤーハーネス固定用の舌片２０が設けられている。また、傾斜スリット部３２は、該傾斜スリット部３２の他端側に、舌片２０に形成され該舌片２０を二分割する舌片側スリット３３を有する。こうして、舌片２０は、舌片側スリット３３により二分割されている。図示する分割舌片２１、２２（以下、分割舌片と称する。）は、ほぼ同じ大きさのものであるが、大きさに大小を設定して、スリット３０の両側部分の剛性を変化させることも可能である。例えば、上側の分割舌片２２の大きさを大きくすることにより、保持孔１５の上側の部分（この部分がスリット３０を開く際の可動側となる）の剛性を大きくすることができる。
【００２９】
このグロメット１Ａを用いる場合は、グロメット本体１０を弾性変形させながらスリット３０を開くことにより、保持孔１５にワイヤーハーネスを挿通させ、その状態で、グロメット本体１０の嵌合周面１２をパネル１００の切欠部１０１の内周縁１０２に嵌合させて、グロメット１Ａをパネル１００に装着する。あるいは、先にグロメット本体１０をパネル１００の切欠部１０１に嵌合させておき、その状態で、後から保持孔１５の上側の部分を持ち上げながらスリット３０を開くことにより、保持孔１５にワイヤーハーネスを挿通させてもよい。そして、舌片２０と共にワイヤーハーネスをテープＴや結束バンドで巻き締めることにより、ワイヤーハーネスとグロメット１Ａとを固定する。
【００３０】
以上の構成のグロメット１Ａによれば、グロメット本体１０の上端面１１と保持孔１５との間を結ぶスリット３０に傾斜スリット部３２を設けているので、配索経路の都合などによりワイヤーハーネスを挿通させる保持孔１５がグロメット本体１０の上端面１１に近い位置にあっても、スリット３０の長さを長くすることができる。従って、グロメット本体１０を弾性変形させながらスリット３０の先端を開くときに、力点から支点までの長さを大きくとることができるようになり、小さい力でスリット３０を開くことができる。特に傾斜スリット部３２と上端面１１との間に位置する保持孔１５の上側の部分を片手で持ち上げることによりスリット３０を開くことができるので、ワイヤーハーネスの保持孔１５への挿通作業が容易にできるようになる。
【００３１】
また、スリット３０を開いてワイヤーハーネスを保持孔１５に挿入するときに、傾斜スリット部３２を挟んで対向する斜面に沿ってワイヤーハーネスを保持孔１５の適正位置に挿入することができるので、スムーズなワイヤーハーネスの挿入が可能となる。
【００３２】
しかも、傾斜スリット部３２に垂直スリット部３１を連続して設けていることにより、スリット３０に垂直方向に沿った重なり代（Ｈ２の寸法の閉じ代）を確保することができる。そのため、スリット３０を開く操作をしてからスリット３０の先端が実際に開き始めるまでの間に、その重なり代の分（寸法Ｈ２）だけ実際にはスリット３０が開かない動作区間（余裕）を確保することができる。従って、万一、保持孔１５に挿通させたワイヤーハーネスに外力が加わったりして、グロメット本体１０にスリット３０を広げる方向の力が作用した場合にも、実際にスリット３０が開くまでに動作の余裕ができる分だけ、ワイヤーハーネスの抜け出しの可能性を低くすることができる。なお、スリット３０が保持孔１５の直上にないことによるワイヤーハーネスの外れにくさも当然に得られる。
【００３３】
また、実際にワイヤーハーネスがスリット３０から抜け出るには、傾斜スリット部３２を通った上で屈曲した経路を辿りながら垂直スリット部３１に進む必要があるので、屈曲した経路を辿る分だけ、ワイヤーハーネスの抜け出し抵抗が大となり、抜けづらさを高めることができる。
【００３４】
また、垂直スリット部３１は、グロメット本体１０の嵌合周面１２と上端面１１との交点１７よりも上端面１１の長さ方向の中央部寄りの位置から垂直下方に切り込まれているので、垂直スリット部３１と嵌合周面１２との間の部分に適当な寸法の肉厚を確保することができ、スリット３０を形成した側の嵌合周面１２の上端付近の部分（符号１４で示す部分）の剛性を高めることができる。従って、グロメット本体１０の嵌合周面１２をパネル１００の切欠部１０１に嵌合させた際の嵌合周面１２の上端の脆弱性（スリット３０が近傍にあるがゆえの脆弱性）を無くすことができて、パネル１００からのグロメット１Ａの脱落を防ぐ効果を高めることができる。
【００３５】
また、スリット３０は、グロメット本体１０の嵌合周面１２ではなく、パネル１００への嵌合に関係のない上端面１１にて開口しているので、スリット３０の両側部分にたとえ位置ずれが生じたとしても、パネル１００にグロメット本体１０を嵌合するのに悪影響を及ぼすおそれがない。
【００３６】
また、傾斜スリット部３２の他端３２ｂを上端面１１の長手方向上に位置する保持孔１５の頂点に連通させており、スリット３０により分割された一方側が、保持孔１５の上半周を囲む部分とされているので、保持孔１５の上半周を囲む部分の肉薄部分（保持孔１５の上側の頂点と上端面１１との間の薄肉で脆弱な部分）を支点にして、保持孔１５の上半周を囲む部分を持ち上げてスリット３０を容易に開くことができる。また、ワイヤーハーネスを保持孔１５に挿通させた状態で、保持孔１５の上半周を囲む部分がワイヤーハーネスに被さる形になるので、ワイヤーハーネスがスリット３０からより一層抜け出しにくくなる。
【００３７】
また、この実施形態のグロメット１Ａにおいては、ワイヤーハーネスを保持孔１５に挿通させた状態で、舌片２０とワイヤーハーネスをテープ巻きあるいはバンド巻きすることにより、ワイヤーハーネスにグロメット１Ａを容易に固定することができる。その際、舌片２０が、舌片側スリット３３によって二分割されているので、分割舌片２１、２２同士を互いに位置合わせすることにより、ワイヤーハーネスの挿入のために開いたスリット３０の合わせが容易にできる。特に、分割舌片２１、２２同士の合わせ目に位置合わせ手段を設けておけば、容易に舌片同士の位置合わせを行うことができる。また、舌片側スリット３３で分割舌片２１、２２同士を互いに位置合わせした状態で同時にテープ巻きまたはバンド巻きすることにより、スリット３０の口開きと横ズレを防止することができ、パネル１００へのグロメット１Ａの組付性を向上させることができる。
【００３８】
更に、グロメット本体１０の嵌合周面１２に、パネル１００の切欠部１０１の直線状周縁１０２ａ、１０２ｂに対応した平行面１２ａ、１２ｂを設けているので、パネル１００の切欠部１０１の内周縁１０２に対するグロメット本体１０の嵌合周面１２の係合溝１３のスライド距離を長くとることができる。つまり、パネル１００の切欠部１０１にグロメット本体１０を上方から嵌めるときに、最終的な嵌合状態に至るまでに、係合溝１３が切欠部１０１の内周縁１０２に係合した状態でスライドする距離を長く設定することができる。従って、安定した姿勢でグロメット本体１０をパネル１００に装着することができると共に、パネル１００からグロメット本体１０が外れにくくなる。
【００３９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４０】
例えば、図３（ａ）、（ｂ）に示す他の実施形態のグロメット１Ｂのように、テープ巻きなどのための舌片２０を、スリット３０のある側と反対側の位置に設けてもよい。
【００４１】
ここで、上述した本発明に係るワイヤーハーネス用のグロメットの実施形態の特徴をそれぞれ以下（１）〜（４）に簡潔に纏めて列記する。
（１）  厚肉板状のグロメット本体（１０）を備え、
前記グロメット本体の外縁に位置する外周面は、パネル（１００）に形成された切欠部（１０１）の内周縁（１０２）に係合することで前記グロメット本体を前記パネルに装着するための係合溝（１３）が形成された嵌合周面（１２）と、前記グロメット本体を前記パネルに装着した際の前記切欠部の開口側に位置する上端面（１１）とを有し、
前記グロメット本体には、ワイヤーハーネスによって挿通されるための保持孔（１５）が、前記グロメット本体の厚さ方向に貫通して形成され、
前記グロメット本体の上端面と前記保持孔との間には、一端が前記上端面にて開口し他端が前記保持孔に連通するスリット（３０）が形成され、
前記グロメット本体を弾性変形させながら前記スリットを開くことにより、前記保持孔にワイヤーハーネスを挿通させるワイヤーハーネス用のグロメット（１Ａ）であって、
前記スリットが、前記上端面から垂直下方に切り込まれた垂直スリット部（３１）と、一端（３２ａ）が前記垂直スリット部の下端に連通し他端（３２ｂ）が前記保持孔に連通する、前記一端から前記他端に向けて下り傾斜した傾斜スリット部（３２）とを有する
ことを特徴とするワイヤーハーネス用のグロメット。
（２）  前記傾斜スリット部の他端が、前記上端面の長手方向上に位置する前記保持孔の頂点に連通している
ことを特徴とする上記（１）に記載のワイヤーハーネス用のグロメット。
（３）  前記グロメット本体が、前記保持孔の周縁から前記グロメット本体の厚さ方向に突設されたワイヤーハーネス固定用の舌片（２０）をさらに有し、
前記傾斜スリット部は、該傾斜スリット部の他端側に、前記舌片に形成され該舌片を二分割する舌片側スリット（３３）を有する
ことを特徴とする上記（１）または（２）に記載のワイヤーハーネス用のグロメット。
（４）  前記グロメット本体の嵌合周面のうちの前記上端面に連続する２面が、互いに対向する平行面（１２ａ，１２ｂ）として形成されている
ことを特徴とする上記（１）〜（３）のいずれか１項に記載のワイヤーハーネス用のグロメット。
【符号の説明】
【００４２】
１Ａ  グロメット
１０  グロメット本体
１１  上端面
１２  嵌合周面
１２ａ，１２ｂ  平行面
１３  係合溝
１５  保持孔
１７  交点
２０  舌片
２１  分割舌片
３０  スリット
３１  垂直スリット部
３２  傾斜スリット部
３２ａ  一端
３２ｂ  他端
３３  舌片側スリット
１００  パネル
１００ａ  上端縁
１０１  切欠部
１０１ａ  開口
１０２  内周縁
【図１】
2015142475.tif 000003
【図２】
2015142475.tif 000004
【図３】
2015142475.tif 000005
【図４】
2015142475.tif 000006
【図５】
2015142475.tif 000007
【図６】
2015142475.tif 000008
【図７】
2015142475.tif 000009